(57)【要約】【課題】読取口に近い近エリア側にローアングル光を照射できると共に、読取口から離れた遠エリア側にも照明光を照射することができ、且つ、遠近いずれのエリアにも十分な光を供給しうる光学的情報読取装置を提供する。【解決手段】光学的情報読取装置１は、読取口３内に取り込まれた反射光を受光する受光センサ２８と、読取口３を介して情報コードに第一照明光を照射する第一照明装置２１と、第二照明光を照射する第二照明装置２２とを有している。更に、第二照明装置２２には、光分岐部６５が形成された光学部品６０が設けられ、この光分岐部６５には、光学部品６０内を透過する第二照明光の一部を第一の外面６１ａで屈折させて近エリアに向けてローアングル光を出射する第一導光部６１が形成されると共に、その透過する第二照明光の一部を第二の外面６２ａで屈折させて遠エリアに向けて第二光を出射する第二導光部６２が形成されている。【選択図】図１
2011059973.tif 000002
【特許請求の範囲】
【請求項１】
情報コードからの反射光を取り込む読取口と、
前記読取口内に取り込まれた前記反射光を結像手段を介して受光する受光手段と、
前記読取口を介して前記情報コードに第一照明光を照射する第一照明手段と、
第二照明光を発する光源と、前記光源からの前記第二照明光を透過させると共に出射側にその透過する前記第二照明光を複数の方向に分岐させる光分岐部が形成された光学部品と、を備えた第二照明手段と、
を有し、
前記光分岐部が、
前記光学部品を透過する前記第二照明光を部分的に第一の外面で屈折させ、前記受光手段によって撮像可能となる撮像エリア内の所定の近エリアに向けてローアングル光を出射する第一導光部と、
前記光学部品を透過する前記第二照明光を部分的に第二の外面で屈折させ、前記近エリアよりも前記読取口から離れた遠エリアに向けて第二光を出射する第二導光部と、
を有することを特徴とする光学的情報読取装置。
【請求項２】
前記光分岐部が、前記光学部品を透過する前記第二照明光の一部を第三の外面で反射又は透過させる第三導光部を有することを特徴とする請求項１に記載の光学的情報読取装置。
【請求項３】
前記第一の外面が、前記第二の外面及び前記第三の外面よりも前記読取口に近い位置に配置されていることを特徴とする請求項２に記載の光学的情報読取装置。
【請求項４】
前記第一導光部と前記第二導光部とが所定方向に並んで隣接配置されると共に、前記第一の外面と前記第二の外面との境界が、前記光分岐部の前記所定方向の中心位置よりも前記読取口側に位置していることを特徴とする請求項３に記載の光学的情報読取装置。
【請求項５】
前記第三の外面が、前記第一の外面及び前記第二の外面よりも前記読取口から離れた位置に配置されていることを特徴とする請求項２から請求項４のいずれか一項に記載の光学的情報読取装置。
【請求項６】
前記第一導光部は、前記光学部品を透過する前記第二照明光の内、前記第一の外面以外の他の外面で反射する反射光を屈折させて前記第一の外面から前記ローアングル光として出射し、前記他の外面で反射せずに前記第一の外面に入射する直接光を、前記近エリアよりも前記読取口から離れたエリアに向けて出射することを特徴とする請求項２から請求項５のいずれか一項に記載の光学的情報読取装置。
【請求項７】
前記第三導光部は、前記光学部品を透過する前記第二照明光の一部を前記第三の外面で前記光学部品の内部に反射させ、
前記第一導光部は、前記第三の外面で反射する前記第二照明光の反射光を前記第一の外面で屈折させて前記ローアングル光として出射することを特徴とする請求項５に記載の光学的情報読取装置。
【請求項８】
前記第一導光部は、前記光学部品を透過する前記第二照明光の内、前記第三の外面で反射する前記反射光を前記第一の外面で屈折させて前記ローアングル光として出射し、前記第三の外面で反射せずに前記第一の外面に入射する直接光を、前記近エリアよりも前記読取口から離れたエリアに向けて出射することを特徴とする請求項７に記載の光学的情報読取装置。
【請求項９】
前記第三の外面が、前記光学部品に入射する前記第二照明光の入射光軸に対して鋭角をなす平面で構成されていることを特徴とする請求項７又は請求項８に記載の光学的情報読取装置。
【請求項１０】
前記第三の外面が、曲面で構成されていることを特徴とする請求項２から請求項８のいずれか一項に記載の光学的情報読取装置。
【請求項１１】
前記第一の外面及び前記第二の外面はいずれも、前記光学部品を透過する前記第二照明光を拡散させる曲面で構成されていることを特徴とする請求項１から請求項１０のいずれか一項に記載の光学的情報読取装置。
【請求項１２】
前記第一の外面及び前記第二の外面はいずれも平面で構成されていることを特徴とする請求項１から請求項１０のいずれか一項に記載の光学的情報読取装置。
【請求項１３】
前記第一の外面が曲面で構成され、前記第二の外面が平面又は前記第一の外面よりも曲率の小さい曲面で構成されていることを特徴とする請求項１から請求項１０のいずれか一項に記載の光学的情報読取装置。
【請求項１４】
前記第二の外面が曲面で構成され、前記第一の外面が平面又は前記第二の外面よりも曲率の小さい曲面で構成されていることを特徴とする請求項１から請求項１０のいずれか一項に記載の光学的情報読取装置。
【請求項１５】
前記光学部品は、前記光源からの前記第二照明光の入射側に形成された集光面によってその入射する前記第二照明光を集光する集光部が設けられていることを特徴とする請求項１から請求項１４のいずれか一項に記載の光学的情報読取装置。
【請求項１６】
前記光学部品は、前記光源からの前記第二照明光を透過させる第一の光学部品と、前記第一の光学部品を透過した前記第二照明光を透過させる第二の光学部品とを備え、
前記第一の光学部品に前記集光部が形成され、
前記第二の光学部品に前記光分岐部が形成されていることを特徴とする請求項１５に記載の光学的情報読取装置。
【請求項１７】
前記第一の光学部品は、当該第一の光学部品を透過する前記第二照明光の出射側に形成された第二集光面によってその透過する前記第二照明光を集光する第二集光部が設けられていることを特徴とする請求項１６に記載の光学的情報読取装置。
【請求項１８】
複数の前記第二照明手段が、前記第一照明手段による前記第一照明光の照射エリアの周囲を取り囲む構成で配置されていること特徴とする請求項１から請求項１７のいずれか一項に記載の光学的情報読取装置。
【請求項１９】
前記読取口を備えた装置本体に対して着脱可能なベース部材を有すると共に、当該ベース部材に前記光学部品が装着又は一体形成されており、
前記ベース部材に前記光学部品が一体化されたユニットが前記装置本体に対して着脱可能とされていることを特徴とする請求項１から請求項１８のいずれか一項に記載の光学的情報読取装置。
【請求項２０】
前記第一照明手段が、ドーム部材の内壁面から前記読取口側に間接光を照射するドーム照明であり、
前記受光手段が、前記ドーム部材に形成された孔部を介して前記反射光を受光することを特徴とする請求項１から請求項１９のいずれか一項に記載の光学的情報読取装置。
【請求項２１】
前記第一照明手段が、照明光源から発せられた前記第一照明光をハーフミラーで反射させて前記読取口側に照射する同軸落射照明であり、
前記受光手段が、前記読取口内に取り込まれ且つ前記ハーフミラーを透過した前記反射光を受光することを特徴とする請求項１から請求項１９のいずれか一項に記載の光学的情報読取装置。
【発明の詳細な説明】
【技術分野】
【０００１】
本発明は、光学的情報読取装置に関するものである。
【背景技術】
【０００２】
現在、様々な分野において、バーコードやＱＲコード（登録商標）などの情報コードが広く用いられている。この種の情報コードは、プリンタによる印刷や、ダイレクトマーキングなどによって様々な対象物に付されており、バーコードリーダ等の光学的情報読取装置では、このような情報コードを良好に読み取り得る構成が求められている。
【先行技術文献】
【特許文献】
【０００３】
【特許文献１】特表２００８−５２４７４６公報
【発明の概要】
【発明が解決しようとする課題】
【０００４】
ところで、上記のように様々な対象物に付される情報コードを良好に読み取るためには照明手段の構成が重要となる。例えばダイレクトマーキングによって形成される情報コードでは、印字面の凹凸パターンを浮き上がらせる必要があり、情報コードに対して横方向からの照明光（ローアングル光）を照射することが有効である。また、情報コード形成面に光沢があるような場合には、情報コード形成面に対して角度が付けられた均一照明などを用いることが望ましい。従って、光学的情報読取装置には、このような照明手段が設けられていることが望ましい。
【０００５】
特許文献１にはこのような課題に関連する技術が開示されており、暗視野照明器からの暗視野照明をローアングル光として照射すると共に、暗視野照明を照射する開口の外側に配置された明視野照明器からの明視野照明を遠方に照射している。しかしながら、このような構成であると、ローアングル光の照度を確保しながら遠方へ十分な照明光を照射することが難しいという問題がある。例えば、特許文献１のように開口の外側に配置された明視野照明器のみから明視野照明を照射する構成では、遠方において十分な光量が確保できず、遠方での読み取り性能の低下を招いてしまう。また、特許文献１での開示は十分でないが、暗視野照明器からの暗視野照明（ローアングル光）を照射する際の光量のロスが大きい場合、近エリアでの照度確保も課題となる。
【０００６】
本発明は、上述した課題を解決するためになされたものであり、読取口に近い近エリア側にローアングル光を照射できると共に、読取口から離れた遠エリア側にも照明光を照射することができ、且つ、遠近いずれのエリアにも十分な光を供給しうる光学的情報読取装置を提供することを目的とする。
【課題を解決するための手段】
【０００７】
請求項１の発明は、情報コードからの反射光を取り込む読取口と、前記読取口内に取り込まれた前記反射光を結像手段を介して受光する受光手段と、前記読取口を介して前記情報コードに第一照明光を照射する第一照明手段と、第二照明光を発する光源と、前記光源からの前記第二照明光を透過させると共に出射側にその透過する前記第二照明光を複数の方向に分岐させる光分岐部が形成された光学部品と、を備えた第二照明手段と、を有している。
そして、前記光分岐部が、前記光学部品を透過する前記第二照明光を部分的に第一の外面で屈折させ、前記受光手段によって撮像可能となる撮像エリア内の所定の近エリアに向けてローアングル光を出射する第一導光部と、前記光学部品を透過する前記第二照明光を部分的に第二の外面で屈折させ、前記近エリアよりも前記読取口から離れた遠エリアに向けて第二光を出射する第二導光部と、を備えた構成をなしている。
【０００８】
請求項２の発明は、請求項１に記載の光学的情報読取装置において、前記光分岐部が、前記光学部品を透過する前記第二照明光の一部を第三の外面で反射又は透過させる第三導光部を有することを特徴としている。
【０００９】
請求項３の発明は、請求項２に記載の光学的情報読取装置において、前記第一の外面が、前記第二の外面及び前記第三の外面よりも前記読取口に近い位置に配置されていることを特徴としている。
【００１０】
請求項４の発明は、請求項３に記載の光学的情報読取装置において、前記第一導光部と前記第二導光部とが所定方向に並んで隣接配置されると共に、前記第一の外面と前記第二の外面との境界が、前記光分岐部の前記所定方向の中心位置よりも前記読取口側に位置していることを特徴としている。
【００１１】
請求項５の発明は、請求項２から請求項４のいずれか一項に記載の光学的情報読取装置において、前記第三の外面が、前記第一の外面及び前記第二の外面よりも前記読取口から離れた位置に配置されていることを特徴としている。
【００１２】
請求項６の発明は、請求項２から請求項５のいずれか一項に記載の光学的情報読取装置において、前記第一導光部が、前記光学部品を透過する前記第二照明光の内、前記第一の外面以外の他の外面で反射する反射光を屈折させて前記第一の外面から前記ローアングル光として出射し、前記他の外面で反射せずに前記第一の外面に入射する直接光を、前記近エリアよりも前記読取口から離れたエリアに向けて出射することを特徴としている。
【００１３】
請求項７の発明は、請求項５に記載の光学的情報読取装置において、前記第三導光部が、前記光学部品を透過する前記第二照明光の一部を前記第三の外面で前記光学部品の内部に反射させ、前記第一導光部が、前記第三の外面で反射する前記第二照明光の反射光を前記第一の外面で屈折させて前記ローアングル光として出射することを特徴としている。
【００１４】
請求項８の発明は、請求項７に記載の光学的情報読取装置において、前記第一導光部が、前記光学部品を透過する前記第二照明光の内、前記第三の外面で反射する前記反射光を前記第一の外面で屈折させて前記ローアングル光として出射し、前記第三の外面で反射せずに前記第一の外面に入射する直接光を、前記近エリアよりも前記読取口から離れたエリアに向けて出射することを特徴としている。
【００１５】
請求項９の発明は、請求項７又は請求項８に記載の光学的情報読取装置において、前記第三の外面が、前記光学部品に入射する前記第二照明光の入射光軸に対して鋭角をなす平面で構成されていることを特徴としている。
【００１６】
請求項１０の発明は、請求項２から請求項８のいずれか一項に記載の光学的情報読取装置において、前記第三の外面が、曲面で構成されていることを特徴としている。
【００１７】
請求項１１の発明は、請求項１から請求項１０のいずれか一項に記載の光学的情報読取装置において、前記第一の外面及び前記第二の外面がいずれも、前記光学部品を透過する前記第二照明光を拡散させる曲面で構成されていることを特徴としている。
【００１８】
請求項１２の発明は、請求項１から請求項１０のいずれか一項に記載の光学的情報読取装置において、前記第一の外面及び前記第二の外面がいずれも平面で構成されていることを特徴としている。
【００１９】
請求項１３の発明は、請求項１から請求項１０のいずれか一項に記載の光学的情報読取装置において、前記第一の外面が曲面で構成され、前記第二の外面が平面又は前記第一の外面よりも曲率の小さい曲面で構成されていることを特徴としている。
【００２０】
請求項１４の発明は、請求項１から請求項１０のいずれか一項に記載の光学的情報読取装置において、前記第二の外面が曲面で構成され、前記第一の外面が平面又は前記第二の外面よりも曲率の小さい曲面で構成されていることを特徴としている。
【００２１】
請求項１５の発明は、請求項１から請求項１４のいずれか一項に記載の光学的情報読取装置であって、前記光学部品において、前記光源からの前記第二照明光の入射側に形成された集光面によってその入射する前記第二照明光を集光する集光部が設けられていることを特徴としている。
【００２２】
請求項１６の発明は、請求項１５に記載の光学的情報読取装置であって、前記光学部品が、前記光源からの前記第二照明光を透過させる第一の光学部品と、前記第一の光学部品を透過した前記第二照明光を透過させる第二の光学部品とを備えており、前記第一の光学部品に前記集光部が形成され、前記第二の光学部品に前記光分岐部が形成されていることを特徴としている。
【００２３】
請求項１７の発明は、請求項１６に記載の光学的情報読取装置であって、前記第一の光学部品において、当該第一の光学部品を透過する前記第二照明光の出射側に形成された第二集光面によってその透過する前記第二照明光を集光する第二集光部が設けられていることを特徴としている。
【００２４】
請求項１８の発明は、請求項１から請求項１７のいずれか一項に記載の光学的情報読取装置において、複数の前記第二照明手段が、前記第一照明手段による前記第一照明光の照射エリアの周囲を取り囲む構成で配置されていること特徴としている。
【００２５】
請求項１９の発明は、請求項１から請求項１８のいずれか一項に記載の光学的情報読取装置において、前記読取口を備えた装置本体に対して着脱可能なベース部を有すると共に、当該ベース部に前記光学部品が装着又は一体形成されており、前記ベース部に前記光学部品が一体化されたユニットが前記装置本体に対して着脱可能とされていることを特徴としている。
【００２６】
請求項２０の発明は、請求項１から請求項１９のいずれか一項に記載の光学的情報読取装置において、前記第一照明手段が、ドーム部材の内壁面から前記読取口側に間接光を照射するドーム照明であり、前記受光手段が、前記ドーム部材に形成された孔部を介して前記反射光を受光することを特徴としている。
【００２７】
請求項２１の発明は、請求項１から請求項１９のいずれか一項に記載の光学的情報読取装置において、前記第一照明手段が、照明光源から発せられた前記第一照明光をハーフミラーで反射させて前記読取口側に照射する同軸落射照明であり、前記受光手段が、前記読取口内に取り込まれ且つ前記ハーフミラーを透過した前記反射光を受光することを特徴としている。
【発明の効果】
【００２８】
請求項１の発明は、読取口を介して情報コードに第一照明光を照射する第一照明手段と、光分岐部が形成された光学部品を備えた第二照明手段とを有している。そして、第二照明手段の光分岐部には、光学部品を透過する照明光（第二照明光）を部分的に第一の外面で屈折させ、撮像エリア内の所定の近エリアに向けてローアングル光を出射する第一導光部と、光学部品を透過する照明光（第二照明光）を部分的に第二の外面で屈折させ、前記近エリアよりも読取口から離れた遠エリアに向けて第二光を出射する第二導光部とが設けられている。
このようにすると、光学部品を透過する照明光（第二照明光）の一部を分岐させてローアングル光として良好に照射することできるため、読取口に近い近エリアにおいてローアングル光での読み取りに適した対象物（ダイレクトマーキングによって形成された情報コード等）を良好に読み取ることができる。更に、第二導光部により光学部品を透過する照明光（第二照明光）の一部を分岐させ、ローアングル光が照射されるエリアよりも読取口から離れた遠エリアに向けて第二光を出射しているため、第一照明光のみならず第二照明光の一部を遠エリア用の照明光として利用できるようになる。従って、遠エリアでの照度を確保しやすく、遠エリアにおいても情報コードを良好に読み取ることができる。
【００２９】
請求項２の発明は、光分岐部が、光学部品を透過する第二照明光の一部を第三の外面で反射又は透過させる第三導光部を有している。このようにすると、第一導光部及び第二導光部以外の外面を第二照明光の誘導に利用できるようになる。
【００３０】
請求項３の発明は、第一の外面が、第二の外面及び第三の外面よりも読取口に近い位置に配置されている。このようにすると、第一の外面からローアングル光を照射する際に、第二の外面付近及び第三の外面付近が邪魔にならず、近エリアにローアングル光を照射する上でより有利となる。
【００３１】
請求項４の発明は、第一導光部と第二導光部とが所定方向に並んで隣接配置されると共に、第一の外面と第二の外面との境界が、光分岐部の所定方向中心位置よりも読取口側に位置している。このように第一の外面を読取口側に寄せて配置すると、第二の外面を確保しやすく、第二光を遠エリア側に照射する上で有利となる。
【００３２】
請求項５の発明は、第三の外面が、第一の外面及び第二の外面よりも読取口から離れた位置に配置されている。このようにすると、第一の外面及び第二の外面を読取口に近い側に配置して十分に利用しつつ、読取口から離れた第三の外面についても無駄にすることなく有効利用できるようになる。
【００３３】
請求項６の発明は、第一導光部が、光学部品を透過する第二照明光の内、第一の外面以外の他の外面で反射する反射光を屈折させて第一の外面からローアングル光として出射し、他の外面で反射せずに第一の外面に入射する直接光を、近エリアよりも読取口から離れたエリアに向けて出射している。このようにすると、第一の外面からローアングル光と遠エリア用の照明光とを照射でき、第一導光部を２つの用途に兼用できるようになる。
【００３４】
請求項７の発明は、第三導光部が、光学部品を透過する第二照明光の一部を第三の外面で光学部品の内部に反射させ、第一導光部が、第三の外面で反射する第二照明光の反射光を第一の外面で屈折させてローアングル光として出射している。このようにすると、光学部品をそれほど大型化せずとも、より角度を抑えたローアングル光を出射しやすくなる。
【００３５】
請求項８の発明は、第一導光部が、光学部品を透過する第二照明光の内、第三の外面で反射する反射光を第一の外面で屈折させてローアングル光として出射し、第三の外面で反射せずに第一の外面に入射する直接光を、近エリアよりも読取口から離れたエリアに向けて出射している。このようにすると、第一の外面からローアングル光と遠エリア用の照明光とを照射でき、第一導光部を２つの用途に兼用できるようになる。また、このように読取口から離れた側に配置された第三の外面での内部反射光を読取口に近い第一の外面を介して出射する構成とすれば、光学部品内において外側に外れようとする光をローアングル光として有効利用でき、かつ複雑な構成を用いることなく角度を抑えたローアングル光を出射可能となる。
【００３６】
請求項９の発明は、第三の外面が、光学部品に入射する第二照明光の入射光軸に対して鋭角をなす平面で構成されている。このようにすると、第三の外面で外部に漏れ出す光を抑え、より反射光量を大ききすることができ、ひいてはローアングル光の照度を効果的に高めることができる。
【００３７】
請求項１０の発明は、第三の外面が曲面で構成されている。このようにすると、第三の外面において光を拡散又は集光することができる。
【００３８】
請求項１１の発明は、第一の外面及び第二の外面がいずれも、光学部品を透過する第二照明光を拡散させる曲面で構成されている。このようにすると、近エリアに照射されるローアングル光、及び遠エリアに照射される第二光のいずれについても、照射光の拡散を図ることができ、近エリア及び遠エリアに対する照射の均一性を高めることができる。
【００３９】
請求項１２の発明は、第一の外面及び第二の外面がいずれも平面で構成されている。このようにすると、近エリアに照射されるローアングル光、及び遠エリアに照射される第二光のいずれについても、照射光を集中的に出射することができ、近エリア及び遠エリアの特定領域の照度を高めることができる。
【００４０】
請求項１３の発明は、第一の外面が曲面で構成され、第二の外面が平面又は第一の外面よりも曲率の小さい曲面で構成されている。このようにすると、近エリアに照射されるローアングル光については、ある程度光を拡散させて照射の均一性を高めることができる。一方、遠エリアに照射される第二光については、光を集中的に出射することができ、遠エリアの特定領域の照度を効果的に高めることができる。
【００４１】
請求項１４の発明は、第二の外面が曲面で構成され、第一の外面が平面又は第二の外面よりも曲率の小さい曲面で構成されている。このようにすると、近エリアに照射されるローアングル光については、光を集中的に出射することができ、近エリアの特定領域の照度を効果的に高めることができる。一方、遠エリアに照射される第二光については、ある程度光を拡散させて照射の均一性を高めることができる。
【００４２】
請求項１５の発明は、光学部品において光源からの第二照明光の入射側に集光部が設けられている。そして、この集光部は、当該第二照射光の入射側に形成された集光面によってその入射する第二照明光を集光している。このようにすると、光源から出射された第二照明光をより効率的に光学部品に取り込むことができ、第一導光部及び第二導光部による第二照明光の利用効率を効果的に高めることができる。
【００４３】
請求項１６の発明は、光学部品が、光源からの第二照明光を透過させる第一の光学部品と、第一の光学部品を透過した第二照明光を透過させる第二の光学部品とを備えており、第一の光学部品に集光部が形成され、第二の光学部品に光分岐部が形成されている。このようにすると、光分岐部が形成された部品と集光部が形成された部品とを別々に形成することができるため、光分岐部や集光部の形状、配置の自由度をより高めることができる。
【００４４】
請求項１７の発明は、当該第一の光学部品を透過する第二照明光の出射側に形成された第二集光面によってその透過する第二照明光を集光する第二集光部が設けられている。このようにすると、第二照明光を集光した上で光分岐部に案内することができるため、第一導光部及び第二導光部による第二照明光の利用効率を一層高めることができる。
【００４５】
請求項１８の発明は、複数の第二照明手段が、第一照明手段による第一照明光の照射エリアの周囲を取り囲む構成で配置されている。このようにすると、環状に配される第二照明手段の各位置から近エリアに向けてローアングル光を満遍なく出射することができ、且つ各位置から遠エリアに向けて第二光を満遍なく出射することができる。
【００４６】
請求項１９の発明では、ベース部に光学部品を一体化してなるユニットが読取口を供えた装置本体に対して着脱可能とされている。従って、光学部品の修理や交換などが行いやすくなり、メンテナンスの面で極めて有利となる。
【００４７】
請求項２０の発明は、第一照明手段が、ドーム部材の内壁面から読取口側に間接光を照射するドーム照明として構成され、受光手段が、ドーム部材に形成された孔部を介して反射光を受光する構成をなしている。このようにすると読取口から均一性の高い間接光を照射することができるため、均一照明に適した情報コード（例えば光沢面に付された情報コード等）を読み取る場合に有利となる。また、遠エリアでは、第一照明手段からの間接光だけでなく、第二導光部からの光（第二光）も照射されるため、読取口から離れた位置に情報コードが配置された場合でも照度不足が生じにくく読み取りを良好に行うことができる。
【００４８】
請求項２１の発明は、第一照明手段が、照明光源から発せられた第一照明光をハーフミラーで反射させて読取口側に照射する同軸落射照明であり、受光手段が、読取口内に取り込まれ且つハーフミラーを透過した反射光を受光する構成をなしている。このようにすると読取口から均一性の高い光を照射することができるため、均一照明に適した情報コード（例えば光沢面に付された情報コード等）を読み取る場合に有利となる。また、遠エリアでは、第一照明手段からの光だけでなく、第二導光部からの光（第二光）も照射されるため、読取口から離れた位置に情報コードが配置された場合でも照度不足が生じにくく読み取りを良好に行うことができる。
【図面の簡単な説明】
【００４９】
【図１】図１は、本発明の第１実施形態に係る光学的情報読取装置を概略的に例示するブロック図である。
【図２】図２は、図１の光学的情報読取装置における照明部付近の構成を斜め前方から示す斜視図である。
【図３】図３は、図２から収容ケースを取り外した状態を斜め前方から示す斜視図である。
【図４】図４は、図３の構成を斜め後方から見た斜視図である。
【図５】図５は、図２の照明部付近を読取口の中心位置で切断して示す断面概略図である。
【図６】図６は、図５においてマーカ光照射部を省略し、マーカ光照射部の奥側の構成を示す説明図である。
【図７】図７は、読取口を前方側から見た時の読取口と各光源との位置関係を示す説明図である。
【図８】図８は、各第二照明装置の構成を概略的に説明する説明図であり、（ａ）は、光学部品に入射した第二照明光が直接第三の外面に入射する場合の光の経路を併せて示す図であり、（ｂ）は、光学部品に入射した第二照明光が他の反射面で反射された後に第三の外面に入射する場合の光の経路を併せて示す図である。
【図９】図９は、各第二照明装置の構成を概略的に説明する説明図であり、（ａ）は、光学部品に入射した第二照明光が直接第一の外面に入射する場合の光の経路を併せて示す図であり、（ｂ）は、光学部品に入射した第二照明光が直接第二の外面に入射する場合の光の経路を併せて示す図である。
【図１０】図１０は、各第二照明装置の別例１を概略的に説明する説明図であり、（ａ）は、光学部品に入射した第二照明光が直接第三の外面に入射する場合の光の経路を併せて示す図であり、（ｂ）は、光学部品に入射した第二照明光が他の反射面で反射された後に第三の外面に入射する場合の光の経路を併せて示す図である。
【図１１】図１１は、各第二照明装置の別例１を概略的に説明する説明図であり、（ａ）は、光学部品に入射した第二照明光が直接第一の外面に入射する場合の光の経路を併せて示す図であり、（ｂ）は、光学部品に入射した第二照明光が直接第二の外面に入射する場合の光の経路を併せて示す図である。
【図１２】図１２は、各第二照明装置の別例２を概略的に説明する説明図であり、（ａ）は、光学部品に入射した第二照明光が直接第三の外面に入射する場合の光の経路を併せて示す図であり、（ｂ）は、光学部品に入射した第二照明光が他の反射面で反射された後に第三の外面に入射する場合の光の経路を併せて示す図である。また、（ｃ）は、光学部品に入射した第二照明光が直接第一の外面に入射する場合の光の経路を併せて示す図である。
【図１３】図１３は、各第二照明装置の別例３を概略的に説明する説明図であり、光学部品に入射した第二照明光が直接第二の外面に入射する場合の光の経路を併せて示す図である。
【図１４】図１４は、第一照明装置の別例１を概略的に説明する説明図である。
【図１５】図１５は、第一照明装置の別例２を概略的に説明する説明図である。
【発明を実施するための形態】
【００５０】
[第１実施形態]
以下、本発明の光学的情報読取装置を具現化した第１実施形態について、図面を参照して説明する。
（全体構成）
まず、図１を参照して全体構成について説明する。図１は、本発明の第１実施形態に係る光学的情報読取装置を概略的に例示するブロック図である。
図１に示す光学的情報読取装置１は、一次元コードや二次元コード（例えば、バーコード、ＱＲコード、データマトリックスコード、マキシコード等）を読み取る情報コードリーダとして構成されるものであり、読取対象物Ｒに付された情報コードＣを読み取る機能を有している。なお、読取対象となる情報コードＣとしては、例えば、紙、樹脂、金属等の部材に印刷やダイレクトマーキングなどによって付された情報コードや、携帯電話機等の表示部に表示された情報コードなど、様々な情報コードを対象とすることができる。
【００５１】
この光学的情報読取装置１は、図示しないケースの内部に回路部２０が収容されてなるものであり、回路部２０は、主に、第一照明装置２１、第二照明装置２２、受光センサ２８、結像レンズ２７等の光学系と、メモリ３５、制御回路４０、トリガースイッチ４２等のマイクロコンピュータ（以下「マイコン」という）系と、から構成されている。
【００５２】
光学系は、投光光学系と、受光光学系とに大きく分けられ、投光光学系は、第一照明装置２１、第二照明装置２２、マーカ光照射部５０などよって構成されている。
第一照明装置２１及び第二照明装置２２は、いずれも情報コードＣに向けて照明光を照射可能に構成されており、一方の第一照明装置２１は、読取口３の内側から当該読取口３（図２）を介して第一照明光を出射しており、他方の第二照明装置２２は、読取口３の周囲から第二照明光を出射している。なお、これら第一照明装置２１、第二照明装置２２の詳細な説明は後述する。
【００５３】
マーカ光照射部５０は、例えば、図示しない駆動回路（公知のレーザダイオード駆動回路）によって駆動されるレーザダイオードとレンズとによって構成されている。このマーカ光照射部５０では、図１に示す制御回路４０からの信号に応じてレーザダイオードが駆動され、当該レーザダイオードにてレーザ光が発生しており、このレーザ光がレンズによって集光されることで、マーカ光として所定方向に出射されている。
【００５４】
受光光学系は、結像レンズ２７や受光センサ２８などによって構成されている。結像レンズ２７は、外部から読取口３（図２）を介して入射する入射光を集光し、受光センサ２８の受光面２８ａに情報コードＣのコード像を結像させている。また、受光センサ２８は、読取対象物Ｒや情報コードＣに照射されて反射した反射光Ｌｒを受光可能に構成されるものであり、結像レンズ２７を介して入射する入射光を受光し得る位置でプリント配線板２９（図３）に実装されている。
【００５５】
マイコン系は、増幅回路３１、Ａ／Ｄ変換回路３３、メモリ３５、アドレス発生回路３６、同期信号発生回路３８、制御回路４０、トリガースイッチ４２、ブザー４４、ＬＥＤ４５、液晶表示器４６、通信インタフェース４８等から構成されている。
【００５６】
光学系の受光センサ２８から出力される画像信号（アナログ信号）は、増幅回路３１に入力されることで所定ゲインで増幅され、その後、Ａ／Ｄ変換回路３３に入力されてアナログ信号からディジタル信号に変換される。そして、ディジタル化された画像信号、つまり画像データ（画像情報）は、ＲＯＭ、ＲＡＭなどの公知の記憶媒体によって構成されたメモリ３５に入力され、所定の格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００５７】
制御回路４０は、ＣＰＵ、システムバス、入出力インタフェースなどを備えたマイコンとして構成されており、メモリ３５とともに情報処理装置を構成し、光学的情報読取装置１内の各種情報処理を行う情報処理機能を有している、また、この制御回路４０には、内蔵された入出力インタフェースを介して種々の入出力装置が接続されており、本実施形態では、トリガースイッチ４２、ブザー４４、ＬＥＤ４５、液晶表示器４６、通信インタフェース４８等が接続されている。
【００５８】
（照明手段の構成）
次に、照明手段について図２〜図８を参照しつつ詳述する。
図２は、図１の光学的情報読取装置における照明部付近の構成を斜め前方から示す斜視図である。図３は、図２から収容ケースを取り外した状態を斜め前方から示す斜視図である。  図４は、図３の構成を斜め後方から見た斜視図である。図５は、図２の照明部付近を読取口の中心位置（図７のＡ−Ａの位置）で切断して示す断面概略図である。図６は、図５におけるマーカ光照射部５０ａ、５０ｃを省略し、それらマーカ光照射部５０ａ、５０ｃの奥側（第二照明装置２２ａ、２２ｈ）の構成を示す説明図である。図７は、読取口３を前方側から見た時の読取口３と各光源との位置関係を示す説明図である。なお、図７では、光学部品６０や、集光レンズ７０などは省略している。また、図８は、各第二照明装置の構成を概略的に説明する説明図であり、（ａ）は、光学部品に入射した第二照明光が直接第三の外面に入射する場合の光の経路を併せて示す図であり、（ｂ）は、光学部品に入射した第二照明光が他の反射面で反射された後に第三の外面に入射する場合の光の経路を併せて示す図である。図９は、各第二照明装置の構成を概略的に説明する説明図であり、（ａ）は、光学部品に入射した第二照明光が直接第一の外面に入射する場合の光の経路を併せて示す図であり、（ｂ）は、光学部品に入射した第二照明光が直接第二の外面に入射する場合の光の経路を併せて示す図である。
【００５９】
本実施形態に係る光学的情報読取装置１は、図示しない外装ケースに図１に示す回路部２０が収容されており、その外装ケースの一端側が開放した構成をなしている。そして、その外装ケースの開放側には、図２のような部品が一部（後述する着脱ユニット９０付近）をケース外に露出させた形態で取り付けられている。なお、本実施形態では、カメラユニット２６の光軸Ｌ１（結像レンズの光軸）の方向を前後方向とし、読取口３側を前方側、カメラユニット２６側を後方側として説明することとする。また、光軸Ｌ１と直交する所定方向（マーカ光照射部５０ａ、５０ｃの対向方向）を上下方向とし、この上下方向と直交する方向（マーカ光照射部５０ｂ、５０ｄの対向方向）を左右方向として説明する。
【００６０】
図３、図４に示すように、読取口３付近には、読取口３を介して外部に照明光（第一照明光）を照射する第一照明装置２１と、読取口３の周囲から外部に照明光（第二照明光）を照射する複数の第二照明装置２２（第二照明装置２２ａ〜２２ｍ）とが設けられている。なお、本実施形態では、情報コードＣからの反射光を装置内に取り込む開口部を読取口３としており、図３等に示す例では、後述する拡散部材８３の前方側の開口端部が読取口３に相当している。
【００６１】
図３、図５に示すように、第一照明装置２１は、複数の光源８１と、これら光源８１の前方側に配置された拡散部材８３とを備えており、複数の光源８１からの光が収容ケース９３の内部を通って拡散部材８３を透過し、読取口３から前方に照射されるように構成されている。この第一照明装置２１は、均一照明として機能しており、複数の光源８１から前方側に出射された各照明光が拡散部材８３内を透過するときに当該拡散部材８３内で拡散し、読取口３内から前方側に照度ムラの少ない均一照明光（第一照明光）が照射されるようになっている。なお、拡散部材８３は、当該拡散部材８３を透過する光を拡散させる構成であればよく、本実施形態では、その一例として表面に細かな凹凸（例えばシボ加工などによって形成された凹凸）が形成されたものを採用しており、この凹凸によって透過光を拡散させることで均一照明光を発生させている。
【００６２】
第一照明装置２１を構成する複数の光源８１は、例えばＬＥＤ等の発光素子によって構成されており、拡散部材８３の後方に配された基板８０上において、例えば孔部８６の周囲を環状に取り囲むように実装されている。また、拡散部材８３は、中空状に構成されており、前方側の内径が大きく後方側につれて内径が次第に小さくなるように構成されている。この拡散部材８３の後方には、結像レンズ２７と受光センサ２８を備えたカメラユニット２６が配置されており、拡散部材８３の後端部には、読取口３側とカメラユニット２６側を連通する孔部８６が形成されている。なお、図５の構成では、読取口３のほぼ中心位置及び孔部２６のほぼ中心位置を光軸Ｌ１が通っており、読取口３内に取り込まれた反射光（情報コードＣからの反射光）が孔部８６を通って結像レンズ２７に入射し、この結像レンズ２７を介して受光センサ２８で受光されるようになっている。
【００６３】
複数の第二照明装置２２（第二照明装置２２ａ〜２２ｍ）は、図３、図６、図７に示すように、第一照明装置２１による第一照明光の照射エリアの周囲を取り囲む構成で（具体的には、読取口３の周囲を取り囲む構成で）互いに間隔をあけて環状に配置されており、各第二照明装置２２（第二照明装置２２ａ〜２２ｍ）が読取口３の外側（より詳しくは読取口３の周囲における当該読取口３に近接した位置）から前方側に第二照明光を出射するように構成されている。各第二照明装置２２（第二照明装置２２ａ〜２２ｍ）はいずれも、図８（ａ）のように構成されており、第二照明光を発する光源６７と、第二照明光を複数の方向に分岐させる光分岐部６５とを備えている。なお、本実施形態では、各第二照明装置２２ａ〜２２ｍ（図３、図６参照）の各光分岐部６５ａ〜６５ｍ（図２）がそれぞれ、図７に示す光源６７ａ〜６７ｍの前方に配置されており、いずれの光分岐部６５ａ〜６５ｍも、環状に形成された光学部品６０の一部として形成されている。そして、このように構成される光学部品６０の各部分（各光分岐部６５ａ〜６５ｍ）から、各光源６７ａ〜６７ｍにて発生する第二照明光がそれぞれ出射されるようになっている。
【００６４】
図８に示すように、複数の第二照明装置２２のいずれにおいても、ＬＥＤ等として構成される光源６７から前方側に照明光（第二照明光）が出射されるようになっており、その光源６７の前方側には、光源６７からの照明光（第二照明光）を透過させる集光レンズ７０が配置されている。この集光レンズ７０は、光軸が前後方向となるように構成されており、光源６７から入射する照明光（第二照明光）を集光する入射側の集光部７１と、当該集光レンズ７０を透過した第二照明光を更に集光する出射側の第二集光部７２とを備えている。集光部７１は、光源６７から集光レンズ７０に入射する第二照明光を集光面７１ａによって集光しており、第二集光部７２は、第一集光部７１によって集光されて当該集光レンズ７０内を透過する第二照明光を第二集光面７２ａによって集光し、これをレンズ外に出射している。なお、本実施形態では、集光レンズ７０が「第一の光学部品」の一例に相当する。
【００６５】
図８に示すように、集光レンズ７０の前方側には、上述の光学部品６０の一部が配置されている。この光学部品６０は、「第二の光学部品」の一例に相当するものであり、集光レンズ７０を透過した第二照明光を内部に取り込んで透過させ、その透過する第二照明光を前端部に形成された光分岐部６５によって分岐させている。なお、図２では、各第二照明装置２２ａ〜２２ｍ（図３、図６等参照）に設けられた各光分岐部６５を、それぞれ符号６５ａ〜６５ｍで示しており、いずれの光分岐部６５（６５ａ〜６５ｍ）も図８のように構成されている。
【００６６】
図８に示すように、光分岐部６５は、第一の外面６１ａを有する第一導光部６１と、第二の外面６２ａを有する第二導光部６２と、第三の外面６３ａを有する第三導光部６３とを備えている。そして、図２、図６等に示すように、第一の外面６１ａが、第二の外面６２ａ及び第三の外面６３ａよりも読取口３に近い位置に配置されている。また、第三の外面６３ａは、第一の外面６１ａ及び第二の外面６２ａよりも読取口３から離れた位置に配置されており、第一の外面６１ａと第三の外面６３ａとの間の位置に第二の外面６２ａが設けられている。また、本実施形態では、第一導光部６１と第二導光部６２とが所定方向（幅方向Ｗ１）に並んで隣接配置されると共に、第一の外面６１ａと第二の外面６２ａとの境界が、光分岐部６５の幅方向中心位置よりも読取口３側に位置している。なお、本実施形態では、各光分岐部６５（光分岐部６５ａ〜６５ｍ）の厚さ方向が各光分岐部６５の（所定方向）「幅方向」とされており、一部の光分岐部６５ｃ、６５ｆ、６５ｉ、６５ｍでは、円形の読取口３の半径方向が「所定方向」（幅方向）となっている。また、他の光分岐部６５ａ、６５ｂ、６５ｄ、６５ｅ、６５ｇ、６５ｈ、６５ｊ、６５ｋでは、円形の読取口３の半径方向に対してわずかに傾いた方向が「所定方向」（幅方向）となっている。
【００６７】
図６、図８に示すように、第一導光部６１は、光学部品６０を透過する第二照明光を部分的に第一の外面６１ａで屈折させ、受光センサ２８によって撮像可能となる撮像エリア内の所定の近エリアに向けてローアングル光Ｌａを出射するように構成されている。なお、図６では、受光センサ２８によって撮像可能となる撮像エリアを符号ＡＲにて概念的に図示している。
【００６８】
具体的には、図８（ａ）（ｂ）に示すように、光学部品６０を透過する第二照明光の内、第一の外面６１ａ以外の他の外面で反射する反射光を第一の外面６１ａにて屈折させ、当該第一の外面６１ａからローアングル光Ｌａとして出射しており、図９（ａ）のように、他の外面で反射せずに第一の外面６１ａに入射する直接光を、当該第一の外面６１ａから遠方（前記近エリアよりも読取口３から離れたエリア）に向けて出射している。例えば、図８（ａ）のように、光源６７から出射される第二照明光のうち、光学部品６０に入射後に直接第三導光部６３に入射する光については、この第三導光部６３が第三の外面６３ａにて光学部品６０の内部側に反射させており、この内部反射光Ｌｄを第一導光部６１が第一の外面６１ａにて屈折させ、当該第一の外面６１ａからローアングル光Ｌａとして出射している。また、図８（ｂ）のように、光源６７から出射される第二照明光のうち、光学部品６０に入射後に光学部品６０の内週面６０ａで内部反射する反射光Ｌｅについても、再度第三の外面６３ａで内部反射するように構成されており、この反射光Ｌｆについても、第一導光部６１が第一の外面６１ａで屈折させてローアングル光Ｌａとして出射している。
【００６９】
なお、本実施形態では、第一導光部６１の第一の外面６１ａが、光学部品６０を透過する第二照明光を拡散させる曲面（具体的には、内部側に凹となる曲面）で構成されており、第三の外面６３ａで反射された反射光Ｌｄ，Ｌｆを第一の外面６１ａである程度拡散させてローアングル光Ｌａとして出射している。また、第三の外面６３ａについては、光学部品６０に入射する第二照明光の入射光軸（集光レンズ７０の光軸）に対して鋭角をなす平面で構成されており、第三の外面６３ａから外部に漏れ出す光が少なく抑えられている。
【００７０】
また、図９（ａ）に示すように、第一導光部６１は、光学部品６０に入射した第二照明光の内、第三の外面６３ａで反射せずに第一の外面６１ａに入射する直接光Ｌｇを、ローアングル光Ｌａを照射するエリア（近エリア）よりも読取口３から離れたエリアに向けて出射している。なお、上述したように、第一導光部６１の第一の外面６１ａが、光学部品６０を透過する第二照明光を拡散させる曲面で構成されているため、第一の外面６１ａに入射する直接光Ｌｇについても、ある程度拡散されて遠エリア側に出射される。
【００７１】
図９（ｂ）に示すように、第二導光部６２は、光学部品６０を透過する第二照明光を部分的に第二の外面６２ａで屈折させ、ローアングル光Ｌａが照射されるエリア（近エリア）よりも読取口３から離れた遠エリアに向けて第二光Ｌｊを出射している（図６も参照）。本実施形態では、第二導光部６２の第二の外面６２ａが、光学部品６０を透過する第二照明光を拡散させる曲面で構成されているため、第二の外面６２ａに入射する直接光Ｌｉについても、ある程度拡散されて遠エリア側に出射される。
【００７２】
また、本実施形態では、図２〜図４に示すように、読取口３を備えた装置本体２（光学的情報読取装置１において着脱ユニット９０を除いた本体部分）に対して着脱可能なベース部９１が設けられており、このベース部９１に上述の光学部品６０が一体形成されている。そして、このようにベース部９１に光学部品６０を一体化してなる着脱ユニット９０が装置本体２に着脱可能に取り付けられている。なお、図２の例では、装置本体２の一部をなす収容ケース９３にベース部９１がねじ部材９６によって固定されており、このねじ部材９６を取り外すことで、収容ケース９３から着脱ユニット９０を取り外すことができるようになっている。
【００７３】
（第１実施形態の主な効果）
本実施形態に係る光学的情報読取装置１は、読取口３を介して情報コードＣに第一照明光を照射する第一照明装置２１と、光分岐部６５が形成された光学部品６０を備えた第二照明装置２２とを有している。そして、第二照明装置２２の光分岐部６５には、光学部品６０を透過する照明光（第二照明光）を部分的に第一の外面６１ａで屈折させ、撮像エリアＡＲ内の所定の近エリアに向けてローアングル光Ｌａ射する第一導光部６１と、光学部品６０を透過する照明光（第二照明光）を部分的に第二の外面６２ａで屈折させ、近エリアよりも読取口３から離れた遠エリアに向けて第二光Ｌｊを出射する第二導光部６２とが設けられている。
このようにすると、光学部品６０を透過する照明光（第二照明光）の一部を分岐させてローアングル光Ｌａとして良好に照射することできるため、読取口３に近い近エリアにおいてローアングル光Ｌａでの読み取りに適した対象物（ダイレクトマーキングによって形成された情報コードＣ等）を良好に読み取ることができる。更に、第二導光部６２により光学部品６０を透過する照明光（第二照明光）の一部を分岐させ、ローアングル光Ｌａが照射されるエリアよりも読取口３から離れた遠エリアに向けて第二光Ｌｊを出射しているため、第一照明光のみならず第二照明光の一部を遠エリア用の照明光として利用できるようになる。従って、遠エリアでの照度を確保しやすく、遠エリアにおいても情報コードＣを良好に読み取ることができる。
【００７４】
また、光分岐部６５が、光学部品６０を透過する第二照明光の一部を第三の外面６３ａで反射させる第三導光部６３を有している。このようにすると、第一導光部６１及び第二導光部６２以外の外面を第二照明光の誘導に利用できるようになる。
【００７５】
また、第一の外面６１ａが、第二の外面６２ａ及び第三の外面６３ａよりも読取口３に近い位置に配置されている。このようにすると、第一の外面６１ａからローアングル光Ｌａを照射する際に、第二の外面６２ａ付近及び第三の外面６３ａ付近が邪魔にならず、近エリアにローアングル光Ｌａを照射する上でより有利となる。
【００７６】
また、第一導光部６１と第二導光部６２とが所定方向に並んで隣接配置されると共に、第一の外面６１ａと第二の外面６２ａとの境界が、光分岐部６５の所定方向中心位置よりも読取口３側に位置している。このように第一の外面６１ａを読取口３側に寄せて配置すると、第二の外面６２ａを確保しやすく、第二光Ｌｊを遠エリア側に照射する上で有利となる。
【００７７】
また、第三の外面６３ａが、第一の外面６１ａ及び第二の外面６２ａよりも読取口３から離れた位置に配置されている。このようにすると、第一の外面６１ａ及び第二の外面６２ａを読取口３に近い側に配置して十分に利用しつつ、読取口３から離れた第三の外面６３ａについても無駄にすることなく有効利用できるようになる。
【００７８】
また、第三導光部６３が、光学部品６０を透過する第二照明光の一部を第三の外面６３ａで光学部品６０の内部に反射させ、第一導光部６１が、第三の外面６３ａで反射する第二照明光の反射光Ｌｄ,Ｌｆを第一の外面６１ａで屈折させてローアングル光Ｌａとして出射している。このようにすると、光学部品６０をそれほど大型化せずとも、より角度を抑えたローアングル光を出射しやすくなる。
【００７９】
また、第一導光部６１が、光学部品６０を透過する第二照明光の内、第三の外面６３ａで反射する反射光Ｌｄ,Ｌｆを第一の外面６１ａで屈折させてローアングル光Ｌａとして出射し、第三の外面６３ａで反射せずに第一の外面６１ａに入射する直接光Ｌｇを、近エリアよりも読取口３から離れたエリアに向けて出射している。このようにすると、第一の外面６１ａからローアングル光Ｌａと遠エリア用の照明光Ｌｈとを照射でき、第一導光部６１を２つの用途に兼用できるようになる。また、このように読取口３から離れた側に配置された第三の外面６３ａでの内部反射光Ｌｄ,Ｌｆを読取口３に近い第一の外面６１ａを介して出射する構成とすれば、光学部品６０内において外側に外れようとする光をローアングル光Ｌａとして有効利用でき、かつ複雑な構成を用いることなく角度を抑えたローアングル光Ｌａを出射可能となる。
【００８０】
また、第三の外面６３ａが、光学部品６０に入射する第二照明光の入射光軸に対して鋭角をなす平面で構成されている。このようにすると、第三の外面６３ａで外部に漏れ出す光を抑え、より反射光量を大ききすることができ、ひいてはローアングル光Ｌａの照度を効果的に高めることができる。
【００８１】
また、第一の外面６１ａ及び第二の外面６２ａがいずれも、光学部品６０を透過する第二照明光を拡散させる曲面で構成されている。このようにすると、近エリアに照射されるローアングル光Ｌａ、及び遠エリアに照射される照明光Ｌｈ,Ｌｊのいずれについても、照射光の拡散を図ることができ、近エリア及び遠エリアに対する照射の均一性を高めることができる。
【００８２】
また、本実施形態では、光学部品６０において光源６７からの第二照明光の入射側に集光部７１が設けられている。そして、この集光部７１は、当該第二照射光の入射側に形成された集光面７１ａによってその入射する第二照明光を集光している。このようにすると、光源６７から出射された第二照明光をより効率的に光学部品６０に取り込むことができ、第一導光部６１及び第二導光部６２による第二照明光の利用効率を効果的に高めることができる。
【００８３】
また、本実施形態では、光源６７からの第二照明光を透過させる集光レンズ７０と、集光レンズ７０を透過した第二照明光を透過させる光学部品６０（第二の光学部品）とを備えており、集光レンズ７０に集光部７１が形成され、第二の光学部品６０に光分岐部６５が形成されている。このようにすると、光分岐部６５が形成された部品と集光部７１が形成された部品とを別々に形成することができるため、光分岐部６５や集光部７１の形状、配置の自由度をより高めることができる。
【００８４】
また、本実施形態では、当該集光レンズ７０を透過する第二照明光の出射側に形成された第二集光面７２ａによってその透過する第二照明光を集光する第二集光部７２が設けられている。このようにすると、第二照明光を集光した上で光分岐部６５に案内することができるため、第一導光部６１及び第二導光部６２による第二照明光の利用効率を一層高めることができる。
【００８５】
また、本実施形態では、複数の第二照明装置２２が、第一照明装置２１による第一照明光の照射エリアの周囲を取り囲む構成で配置されている。このようにすると、環状に配される第二照明装置２２の各位置から近エリアに向けてローアングル光Ｌａを満遍なく出射することができ、且つ各位置から遠エリアに向けて第二光Ｌｊを満遍なく出射することができる。
【００８６】
また、本実施形態では、ベース部９１に光学部品６０を一体化してなる着脱ユニット９０が読取口３を供えた装置本体２に対して着脱可能とされている。従って、光学部品６０の修理や交換などが行いやすくなり、メンテナンスの面で極めて有利となる。
【００８７】
［他の実施形態]
本発明は上記記述及び図面によって説明した実施形態に限定されるものではなく、例えば次のような実施形態も本発明の技術的範囲に含まれる。
【００８８】
上記実施形態では第一の外面６１ａ及び第二の外面６２ａがいずれも曲面で構成されていたが、図１０（ａ）（ｂ）のように、第一の外面６１ａ及び第二の外面６２ａがいずれも平面で構成されていてもよい。このようにすると、図１０（ａ）（ｂ）のように、近エリアに照射されるローアングル光Ｌａについても、また、図１１（ｂ）のように遠エリアに照射される第二光Ｌｊについても集中的に出射することができ、近エリア及び遠エリアの特定領域の照度を高めることができる。また、図１１（ａ）のように、第一の外面６１ａから遠エリア側に照射される照明光Ｌｈについても、集中的に出射することができるようになる。
【００８９】
上記実施形態では第一の外面６１ａ及び第二の外面６２ａがいずれも曲面で構成されていたが、図１２のように、第二の外面６２ａが曲面で構成され、第一の外面６１ａが平面又は第二の外面６２ａよりも曲率の小さい曲面で構成されていてもよい。このようにすると、図１２（ａ）（ｂ）のように、近エリアに照射されるローアングル光Ｌａについては、光を集中的に出射することができ、近エリアの特定領域の照度を効果的に高めることができる。一方、遠エリアに照射される第二光Ｌｊについては、ある程度光を拡散させて照射の均一性を高めることができる。なお、遠エリアへの第二光Ｌｊの照射態様は図９（ｂ）と同様である。また、この例では、図１２（ｃ）のように、第一の外面６１ａから遠エリア側に照射される照明光Ｌｈについても、集中的に出射することができる。
【００９０】
上記実施形態では第一の外面６１ａ及び第二の外面６２ａがいずれも曲面で構成されていたが、図１３のように、第一の外面６１ａが曲面で構成され、第二の外面６２ａが平面又は第一の外面６１ａよりも曲率の小さい曲面で構成されていてもよい。このようにすると、近エリアに照射されるローアングル光Ｌａについては、図８と同様、ある程度光を拡散させて照射の均一性を高めることができる。一方、図１３のように、遠エリアに照射される第二光Ｌｊについては、光を集中的に出射することができ、遠エリアの特定領域の照度を効果的に高めることができる。
【００９１】
上記実施形態では、第一照明手段の一例として第一照明装置２１を例示したが、図１４のような第一照明装置１００を用いてもよい。この第一照明装置１００は、いわゆるドーム照明として構成されており、ドーム状に構成されたドーム部材１０２の内部に複数の光源（図１４では、光源１０３ａ、１０３ｂを代表的に図示）が設けられており、これら光源１０３ａ、１０３ｂ等から照射されて内壁面１０４にて反射した間接光を読取口３を介して外部に照射している。ドーム部材１０２の頂上部付近には、孔部１０６が形成されており、この孔部１０６の後方側に第１実施形態と同様のカメラユニット２６が設けられ、孔部１０６を介して反射光を受光している。このようにすると読取口３から均一性の高い間接光を照射することができるため、均一照明に適した情報コードＣ（例えば光沢面に付された情報コードＣ等）を読み取る場合に有利となる。また、遠エリアでは、第一照明装置２１からの間接光だけでなく、第１実施形態と同様の照明光Ｌｈ、Ｌｊ（図９）も照射されるため、読取口３から離れた位置に情報コードＣが配置された場合でも照度不足が生じにくく読み取りを良好に行うことができる。なお、図１４の構成は、第一照明装置１００以外は第１実施形態と同様であり、図１４では、第一照明装置１００の周囲に配置される一部の第二照明装置２２を概略的に示している。
【００９２】
上記実施形態では、第一照明手段の一例として第一照明装置２１を例示したが、図１５のような第一照明装置２００を用いてもよい。この第一照明装置２００は、いわゆる同軸落射照明として構成されており、複数のＬＥＤなどからなる照明光源２０２から発せられ拡散板２０３にて拡散された第一照明光をハーフミラー２０４で反射させて読取口３側に照射している。一方、読取口３内に取り込まれ反射光（情報コードＣからの反射光）は、ハーフミラー２０４を透過してカメラユニット２６内の受光センサ２８に受光されるようになっている。このようにすると読取口３から均一性の高い光を照射することができるため、均一照明に適した情報コードＣ（例えば光沢面に付された情報コードＣ等）を読み取る場合に有利となる。また、遠エリアでは、第一照明装置２００からの光だけでなく、第１実施形態と同様の照明光Ｌｈ、Ｌｊ（図９）も照射されるため、読取口３から離れた位置に情報コードＣが配置された場合でも照度不足が生じにくく読み取りを良好に行うことができる。なお、図１５の構成は、第一照明装置２００以外は第１実施形態と同様であり、図１５では、第一照明装置２００の周囲に配置される一部の第二照明装置２２を概略的に示している。
【００９３】
上記実施形態では、第三の外面６３ａが平面で構成された例を示したが、第三の外面６３ａが、曲面で構成されていてもよい。例えば、図８（ａ）（ｂ）に示す内部反射光Ｌｄ,Ｌｆを集光するような曲面とすると、ローアングル光Ｌａについても拡散を抑えることができ、特定領域の照度を高めることができる。逆に、内部反射光Ｌｄ,Ｌｆを拡散させるような曲面とすると、ローアングル光Ｌａについても拡散させることができ、均一性を高めることができる。
【符号の説明】
【００９４】
１…光学的情報読取装置
３…読取口
２１,１００,２００…第一照明装置（第一照明手段）
２２…第二照明装置（第二照明手段）
２７…結像レンズ（結像手段）
２８…受光センサ（受光手段）
６０…光学部品（第二の光学部品）
６１…第一導光部
６１ａ…第一の外面
６２…第二導光部
６２ａ…第二の外面
６３…第三導光部
６３ａ…第三の外面
６５…光分岐部
６７…光源
７０…集光レンズ（第一の光学部品）
７１…集光部
７１ａ…集光面
７２…第二集光部
７２ａ…第二集光面
９０…着脱ユニット（ユニット）
９１…ベース部
１０２…ドーム部材
１０４…内壁面
１０６…孔部
２０２…照明光源
２０４…ハーフミラー
Ｃ…情報コード
【図１】
2011059973.tif 000003
【図２】
2011059973.tif 000004
【図３】
2011059973.tif 000005
【図４】
2011059973.tif 000006
【図５】
2011059973.tif 000007
【図６】
2011059973.tif 000008
【図７】
2011059973.tif 000009
【図８】
2011059973.tif 000010
【図９】
2011059973.tif 000011
【図１０】
2011059973.tif 000012
【図１１】
2011059973.tif 000013
【図１２】
2011059973.tif 000014
【図１３】
2011059973.tif 000015
【図１４】
2011059973.tif 000016
【図１５】
2011059973.tif 000017